(57)【要約】【課題】センサを備えその測定値に基づきキャリブレーションを行う画像表示装置において、観察者が注目している画像の表示領域におけるキャリブレーションの精度を高める。【解決手段】画面の所定の測定位置における光学特性を測定する測定手段から測定値を取得する第１の取得手段と、前記測定位置における光学特性と、画面の前記測定位置とは異なる所定位置における光学特性と、の予め求められた対応関係の情報を取得する第２の取得手段と、画面に表示している画像のうち注目領域の代表位置を取得する第３の取得手段と、前記測定手段による測定値と、前記対応関係と、前記所定位置と前記注目領域の代表位置との位置関係と、に基づいて前記注目領域の代表位置における光学特性を推定する推定手段と、前記推定手段により推定された注目領域の代表位置における光学特性に基づいてキャリブレーションを行うキャリブレーション手段と、を備える画像表示装置。【選択図】図３
2014222323.tif 000002
【特許請求の範囲】
【請求項１】
画面の所定の測定位置における光学特性の測定値を取得する第１の取得手段と、
前記測定位置における光学特性と、画面の前記測定位置とは異なる所定位置における光学特性と、の予め求められた対応関係の情報を取得する第２の取得手段と、
画面に表示している画像のうち注目領域の代表位置を取得する第３の取得手段と、
前記第１の取得手段により取得した測定値と、前記対応関係と、前記所定位置と前記注目領域の代表位置との位置関係と、に基づいて、前記注目領域の代表位置における光学特性を推定する推定手段と、
前記推定手段により推定された注目領域の代表位置における光学特性に基づいてキャリブレーションを行うキャリブレーション手段と、
を備える画像表示装置。
【請求項２】
前記対応関係は、前記測定位置における光学特性と、画面を分割する複数のブロックの各々における光学特性と、の予め求められた対応関係であり、
前記推定手段は、前記第１の取得手段により取得した測定値と、前記測定位置における光学特性と前記注目領域の代表位置が属するブロックにおける光学特性との対応関係と、に基づいて前記注目領域の代表位置における光学特性を推定する請求項１に記載の画像表示装置。
【請求項３】
前記画像表示装置は、入力される画像に対して施す画像処理のパラメータが異なる複数の表示モードで画像を表示することが可能であり、表示モード毎にキャリブレーションの対象か非対象かが予め定められており、
画面を構成する複数の分割領域の各々について個別に表示モードを制御する制御手段を更に備え、
前記注目領域は、前記分割領域のうちキャリブレーションの対象となる表示モードで表示されている分割領域である請求項１又は２に記載の画像表示装置。
【請求項４】
前記キャリブレーション手段は、前記注目領域の表示モードに対応する画像処理パラメータを補正することにより前記キャリブレーションを行う請求項３に記載の画像表示装置。
【請求項５】
前記制御手段は、入力される画像の内容に応じて、画面の分割及び表示モードの制御を行う請求項３又は４に記載の画像表示装置。
【請求項６】
前記制御手段は、入力される画像のうち医用画像を表示する領域とそれ以外の画像を表示する領域とで画面を分割し、医用画像の領域を医用画像に適した表示モードで表示し、それ以外の画像の領域を医用画像に適した表示モードとは異なる表示モードで表示する請求項５に記載の画像表示装置。
【請求項７】
前記制御手段は、外部装置から、画面の分割及び分割領域毎の表示モードの情報を取得し、取得した情報に基づいて画面の分割及び表示モードの制御を行う請求項３又は４に記載の画像表示装置。
【請求項８】
前記制御手段は、ユーザから、画面の分割及び分割領域毎の表示モードの情報の入力を受け付け、入力された情報に基づいて画面の分割及び表示モードの制御を行う請求項３又は４に記載の画像表示装置。
【請求項９】
キャリブレーションの対象となる表示モードは、医用画像を表示する場合に適用される表示モードである請求項３〜８のいずれか１項に記載の画像表示装置。
【請求項１０】
前記キャリブレーション手段は、前記測定位置に、キャリブレーションのためのパッチ画像を、前記注目領域の表示モードで表示させ、そのときの前記第１の取得手段により取得した測定値に基づいて前記推定手段により推定された前記注目領域の代表位置における光学特性に基づいてキャリブレーションを行う請求項３〜９のいずれか１項に記載の画像表示装置。
【請求項１１】
前記推定手段は、分割領域による画面の分割が上下分割又は左右分割の場合、前記注目領域の中心を前記注目領域の代表位置とする請求項３〜１０のいずれか１項に記載の画像表示装置。
【請求項１２】
前記推定手段は、分割領域による画面の分割が上下分割又は左右分割のいずれでもなく、分割領域のうちにキャリブレーションの非対象となる表示モードで表示されている分割領域があり、その分割領域の面積が閾値以上で、かつその分割領域の中心が画面の中心またはその近傍にある場合、その分割領域の中心を前記注目領域の代表位置とする請求項３〜１０のいずれか１項に記載の画像表示装置。
【請求項１３】
前記推定手段は、分割領域による画面の分割が上下分割又は左右分割のいずれでもなく、分割領域のうちにキャリブレーションの非対象となる表示モードで表示されている分割領域があり、その分割領域の面積が閾値より小さい場合、キャリブレーションの対象となる表示モードで表示されている分割領域のうち最大の矩形領域の中心を前記注目領域の代表位置とする請求項３〜１０のいずれか１項に記載の画像表示装置。
【請求項１４】
前記推定手段は、画面の輝度分布において中央部における輝度からの乖離が閾値より大きい端部近傍の所定の領域内に前記注目領域の代表位置がある場合、前記注目領域の代表位置から最も近い前記所定の領域内の位置を前記注目領域の代表位置とする請求項１〜１３のいずれか１項に記載の画像表示装置。
【請求項１５】
ユーザから、前記対応関係の情報を更新する情報の入力を受け付ける入力手段を更に備える請求項１〜１４のいずれか１項に記載の画像表示装置。
【請求項１６】
前記推定手段は、前記注目領域の代表位置における光学特性の測定値を取得し、当該取得した測定値と、第１の取得手段により取得した前記測定位置における光学特性の測定値と、に基づいて前記対応関係の情報を更新する請求項１〜１４のいずれか１項に記載の画像表示装置。
【請求項１７】
前記推定手段は、前記注目領域の代表位置と前記測定位置とに同じパッチを表示させた状態で、前記測定位置における光学特性の測定値と前記注目領域の代表位置における光学特性の測定値とを取得する請求項１６に記載の画像表示装置。
【請求項１８】
前記推定手段は、光学特性の推定を行った前回の注目領域の代表位置と、今回の光学特性の推定を行う注目領域の代表位置と、が所定の範囲内に入っている場合、前記更新を行わない請求項１６又は１７に記載の画像表示装置。
【請求項１９】
前記測定位置は、画面の端部近傍の位置である請求項１〜１８のいずれか１項に記載の画像表示装置。
【請求項２０】
前記測定位置における光学特性を測定する測定手段を更に備え、
前記第１の取得手段は、前記測定手段から前記測定位置における光学特性の測定値を取得する請求項１〜１９のいずれか１項に記載の画像表示装置。
【請求項２１】
画面の所定の測定位置における光学特性の測定値を取得する第１の取得工程と、
前記測定位置における光学特性と、画面の前記測定位置とは異なる所定位置における光学特性と、の予め求められた対応関係の情報を取得する第２の取得工程と、
画面に表示している画像のうち注目領域の代表位置を取得する第３の取得工程と、
前記第１の取得工程で取得した測定値と、前記対応関係と、前記所定位置と前記注目領域の代表位置との位置関係と、に基づいて前記注目領域の代表位置における光学特性を推定する推定工程と、
前記推定工程により推定された注目領域の代表位置における光学特性に基づいてキャリブレーションを行うキャリブレーション工程と、
を備える画像表示装置の制御方法。
【請求項２２】
前記対応関係は、前記測定位置における光学特性と、画面を分割する複数のブロックの各々における光学特性と、の予め求められた対応関係であり、
前記推定工程では、前記第１の取得工程で取得した測定値と、前記測定位置における光学特性と前記注目領域の代表位置が属するブロックにおける光学特性との対応関係と、に基づいて前記注目領域の代表位置における光学特性を推定する請求項２１に記載の画像表示装置の制御方法。
【請求項２３】
前記画像表示装置は、入力される画像に対して施す画像処理のパラメータが異なる複数の表示モードで画像を表示することが可能であり、表示モード毎にキャリブレーションの対象か非対象かが予め定められており、
画面を構成する複数の分割領域の各々について個別に表示モードを制御する制御工程を更に有し、
前記注目領域は、前記分割領域のうちキャリブレーションの対象となる表示モードで表示されている分割領域である請求項２１又は２２に記載の画像表示装置の制御方法。
【請求項２４】
前記キャリブレーション工程では、前記注目領域の表示モードに対応する画像処理パラメータを補正することにより前記キャリブレーションを行う請求項２３に記載の画像表示装置の制御方法。
【請求項２５】
前記制御工程では、入力される画像の内容に応じて、画面の分割及び表示モードの制御を行う請求項２３又は２４に記載の画像表示装置の制御方法。
【請求項２６】
前記制御工程では、入力される画像のうち医用画像を表示する領域とそれ以外の画像を表示する領域とで画面を分割し、医用画像の領域を医用画像に適した表示モードで表示し、それ以外の画像の領域を医用画像に適した表示モードとは異なる表示モードで表示する請求項２５に記載の画像表示装置の制御方法。
【請求項２７】
前記制御工程では、外部装置から、画面の分割及び分割領域毎の表示モードの情報を取得し、取得した情報に基づいて画面の分割及び表示モードの制御を行う請求項２３又は２４に記載の画像表示装置の制御方法。
【請求項２８】
前記制御工程では、ユーザから、画面の分割及び分割領域毎の表示モードの情報の入力を受け付け、入力された情報に基づいて画面の分割及び表示モードの制御を行う請求項２３又は２４に記載の画像表示装置の制御方法。
【請求項２９】
キャリブレーションの対象となる表示モードは、医用画像を表示する場合に適用される表示モードである請求項２３〜２８のいずれか１項に記載の画像表示装置の制御方法。
【請求項３０】
前記キャリブレーション工程では、前記測定位置に、キャリブレーションのためのパッチ画像を、前記注目領域の表示モードで表示させ、そのときの前記第１の取得工程で取得した測定値に基づいて前記推定工程により推定された前記注目領域の代表位置における光学特性に基づいてキャリブレーションを行う請求項２３〜２９のいずれか１項に記載の画像表示装置の制御方法。
【請求項３１】
前記推定工程では、分割領域による画面の分割が上下分割又は左右分割の場合、前記注目領域の中心を前記注目領域の代表位置とする請求項２３〜３０のいずれか１項に記載の画像表示装置の制御方法。
【請求項３２】
前記推定工程では、分割領域による画面の分割が上下分割又は左右分割のいずれでもなく、分割領域のうちにキャリブレーションの非対象となる表示モードで表示されている分割領域があり、その分割領域の面積が閾値以上で、かつその分割領域の中心が画面の中心またはその近傍にある場合、その分割領域の中心を前記注目領域の代表位置とする請求項２３〜３０のいずれか１項に記載の画像表示装置の制御方法。
【請求項３３】
前記推定工程では、分割領域による画面の分割が上下分割又は左右分割のいずれでもなく、分割領域のうちにキャリブレーションの非対象となる表示モードで表示されている分割領域があり、その分割領域の面積が閾値より小さい場合、キャリブレーションの対象となる表示モードで表示されている分割領域のうち最大の矩形領域の中心を前記注目領域の代表位置とする請求項２３〜３０のいずれか１項に記載の画像表示装置の制御方法。
【請求項３４】
前記推定工程では、画面の輝度分布において中央部における輝度からの乖離が閾値より大きい端部近傍の所定の領域内に前記注目領域の代表位置がある場合、前記注目領域の代表位置から最も近い前記所定の領域内の位置を前記注目領域の代表位置とする請求項２１〜３３のいずれか１項に記載の画像表示装置の制御方法。
【請求項３５】
ユーザから、前記対応関係の情報を更新する情報の入力を受け付ける入力工程を更に有する請求項２１〜３４のいずれか１項に記載の画像表示装置の制御方法。
【請求項３６】
前記推定工程では、前記注目領域の代表位置における光学特性の測定値を取得し、当該取得した測定値と、第１の取得工程で取得した前記測定位置における光学特性の測定値と、に基づいて前記対応関係の情報を更新する請求項２１〜３４のいずれか１項に記載の画像表示装置の制御方法。
【請求項３７】
前記推定工程では、前記注目領域の代表位置と前記測定位置とに同じパッチを表示させた状態で、前記測定位置にける光学特性の測定値と前記注目領域の代表位置における光学特性の測定値とを取得する請求項３６に記載の画像表示装置の制御方法。
【請求項３８】
前記推定工程では、光学特性の推定を行った前回の注目領域の代表位置と、今回の光学特性の推定を行う注目領域の代表位置と、が所定の範囲内に入っている場合、前記更新を行わない請求項３６又は３７に記載の画像表示装置の制御方法。
【請求項３９】
前記測定位置は、画面の端部近傍の位置である請求項２１〜３８のいずれか１項に記載の画像表示装置の制御方法。
【請求項４０】
前記画像表示装置は、前記測定位置における光学特性を測定する測定手段を更に備え、
前記第１の取得工程では、前記測定手段から前記測定位置における光学特性の測定値を取得する請求項２１〜３９のいずれか１項に記載の画像表示装置の制御方法。
【請求項４１】
請求項２１〜４０のいずれか１項に記載の画像表示装置の制御方法をコンピュータに実行させるプログラム。
【請求項４２】
請求項４１に記載のプログラムが記録された記録媒体。
【請求項４３】
画像表示装置の画面の所定の測定位置における光学特性を測定する測定手段から測定値を取得する第１の取得手段と、
前記測定位置における光学特性と、前記画像表示装置の画面の前記測定位置とは異なる所定位置における光学特性と、の予め求められた対応関係の情報を取得する第２の取得手段と、
前記画像表示装置に表示されている画像のうち注目領域の代表位置を取得する第３の取得手段と、
前記測定手段による測定値と、前記対応関係と、前記所定位置と前記注目領域の代表位置との位置関係と、に基づいて前記注目領域の代表位置における光学特性を推定する推定手段と、
前記推定手段により推定された注目領域の代表位置における光学特性に基づいてキャリブレーションを行うキャリブレーション手段と、
を備える画像表示装置のキャリブレーション装置。
【請求項４４】
画像表示装置のキャリブレーション装置の制御方法であって、
画像表示装置の画面の所定の測定位置における光学特性を測定する測定手段から測定値を取得する第１の取得工程と、
前記測定位置における光学特性と、前記画像表示装置の画面の前記測定位置とは異なる所定位置における光学特性と、の予め求められた対応関係の情報を取得する第２の取得工程と、
前記画像表示装置に表示されている画像のうち注目領域の代表位置を取得する第３の取得工程と、
前記測定手段による測定値と、前記対応関係と、前記所定位置と前記注目領域の代表位置との位置関係と、に基づいて前記注目領域の代表位置における光学特性を推定する推定工程と、
前記推定工程により推定された注目領域の代表位置における光学特性に基づいてキャリブレーションを行うキャリブレーション工程と、
を備える画像表示装置のキャリブレーション装置の制御方法。
【請求項４５】
請求項４４に記載の画像表示装置のキャリブレーション装置の制御方法をコンピュータに実行させるプログラム。
【請求項４６】
請求項４５に記載のプログラムが記録された記録媒体。
【発明の詳細な説明】
【技術分野】
【０００１】
本発明は、画像表示装置及びその制御方法、キャリブレーション装置及びその制御方法、プログラム、記録媒体に関するものである。
【背景技術】
【０００２】
医療用の液晶表示装置として、縦置きの液晶表示装置を複数台並べて使用する場合があるが、液晶表示装置を並べた場合に中央に液晶表示装置のベゼルがあることで視野が妨げられる。そのため、２台分の大きさを持つ大型の液晶表示装置が使用されることもある。また、液晶表示装置の画像表示領域を複数の領域に分割し、領域毎に異なる階調曲線や輝度を適用できる医療用の液晶表示装置もある。また、表示面の周辺部の前面に輝度や色度を測定するセンサ（以下、前面センサ）を備え、液晶表示装置とは別に外付するセンサ（以下、外付センサ）を用いずに液晶表示装置の品質管理テストやキャリブレーションが行える医療用の液晶表示装置がある。
【０００３】
しかしながら、液晶表示装置は表示面の中央部に比べて周辺部の色ムラや輝度ムラが大きいという特性があるため、前面センサによる周辺部の測定値と、外付センサによる中央部の測定値と、を対応づける技術が提案されている。例えば特許文献１では、液晶表示装置の中央部と周辺部の相対比を予め記憶しておき、キャリブレーションする際に、前面センサにて測定した輝度を、相対比に基づいて中央部の輝度に変換する。そして、中央部の輝度に基づき液晶表示装置の輝度を調整することが提案されている。また、例えば特許文献２においては、前面センサにて測定した周辺部の特性量と、表示面の表示ムラの特性に応じて入力信号の階調値を補正する補正値と、に基づいて、表示面の中央部の特性量を算出することが提案されている。
【先行技術文献】
【特許文献】
【０００４】
【特許文献１】特開２００７−３４２０９号公報
【特許文献２】特開２０１２−１４００４号公報
【発明の概要】
【発明が解決しようとする課題】
【０００５】
しかしながら、液晶表示装置を用いて画像診断を行う場合に、液晶表示装置の中心と診断のための医用画像を表示している領域（以下、診断領域）の中央とが必ずしも一致しているとは限らない。液晶表示装置の中央と診断領域の中央が離れていると、上述した従来の技術によって前面センサの測定値を液晶表示装置の中央の測定値と対応付けたとしても、診断において注目されている診断領域の中央の測定値に対してはズレが生じる。すなわち、診断領域から離れた位置の測定値と前面センサの測定値を対応付けしても、診断領域に対して正しい品質管理テストやキャリブレーションが行えない。そのため、診断領域における表示精度を高くすることができない。
【０００６】
そこで、本発明は、センサを備えその測定値に基づきキャリブレーションを行う画像表示装置において、観察者が注目している画像の表示領域におけるキャリブレーションの精度を高めることを目的とする。
【課題を解決するための手段】
【０００７】
本発明は、画面の所定の測定位置における光学特性の測定値を取得する第１の取得手段
と、
前記測定位置における光学特性と、画面の前記測定位置とは異なる所定位置における光学特性と、の予め求められた対応関係の情報を取得する第２の取得手段と、
画面に表示している画像のうち注目領域の代表位置を取得する第３の取得手段と、
前記第１の取得手段により取得した測定値と、前記対応関係と、前記所定位置と前記注目領域の代表位置との位置関係と、に基づいて、前記注目領域の代表位置における光学特性を推定する推定手段と、
前記推定手段により推定された注目領域の代表位置における光学特性に基づいてキャリブレーションを行うキャリブレーション手段と、
を備える画像表示装置である。
【０００８】
本発明は、画面の所定の測定位置における光学特性の測定値を取得する第１の取得工程と、
前記測定位置における光学特性と、画面の前記測定位置とは異なる所定位置における光学特性と、の予め求められた対応関係の情報を取得する第２の取得工程と、
画面に表示している画像のうち注目領域の代表位置を取得する第３の取得工程と、
前記第１の取得工程で取得した測定値と、前記対応関係と、前記所定位置と前記注目領域の代表位置との位置関係と、に基づいて前記注目領域の代表位置における光学特性を推定する推定工程と、
前記推定工程により推定された注目領域の代表位置における光学特性に基づいてキャリブレーションを行うキャリブレーション工程と、
を備える画像表示装置の制御方法である。
【０００９】
本発明は、画像表示装置の画面の所定の測定位置における光学特性を測定する測定手段から測定値を取得する第１の取得手段と、
前記測定位置における光学特性と、前記画像表示装置の画面の前記測定位置とは異なる所定位置における光学特性と、の予め求められた対応関係の情報を取得する第２の取得手段と、
前記画像表示装置に表示されている画像のうち注目領域の代表位置を取得する第３の取得手段と、
前記測定手段による測定値と、前記対応関係と、前記所定位置と前記注目領域の代表位置との位置関係と、に基づいて前記注目領域の代表位置における光学特性を推定する推定手段と、
前記推定手段により推定された注目領域の代表位置における光学特性に基づいてキャリブレーションを行うキャリブレーション手段と、
を備える画像表示装置のキャリブレーション装置である。
【００１０】
本発明は、画像表示装置のキャリブレーション装置の制御方法であって、
画像表示装置の画面の所定の測定位置における光学特性を測定する測定手段から測定値を取得する第１の取得工程と、
前記測定位置における光学特性と、前記画像表示装置の画面の前記測定位置とは異なる所定位置における光学特性と、の予め求められた対応関係の情報を取得する第２の取得工程と、
前記画像表示装置に表示されている画像のうち注目領域の代表位置を取得する第３の取得工程と、
前記測定手段による測定値と、前記対応関係と、前記所定位置と前記注目領域の代表位置との位置関係と、に基づいて前記注目領域の代表位置における光学特性を推定する推定工程と、
前記推定工程により推定された注目領域の代表位置における光学特性に基づいてキャリブレーションを行うキャリブレーション工程と、
を備える画像表示装置のキャリブレーション装置の制御方法である。
【発明の効果】
【００１１】
本発明によれば、センサを備えその測定値に基づきキャリブレーションを行う画像表示装置において、観察者が注目している画像の表示領域におけるキャリブレーションの精度を高めることができる。
【図面の簡単な説明】
【００１２】
【図１】液晶表示装置のハードウェアブロック図
【図２】液晶表示装置における前面センサ近傍の断面の模式図
【図３】液晶表示装置の機能ブロック図
【図４】表示モードとキャリブレーション対象か否かの対応関係を表した図
【図５】液晶表示装置の画像表示領域の表示モードによる領域分割の一例
【図６】表示面のブロック分割を示す図
【図７】キャリブレーション処理のフローチャート
【図８】対応付け処理のフローチャート
【図９】対応付け実施座標の候補を算出する処理のフローチャート
【図１０】前面センサの測定値取得処理のフローチャート
【図１１】液晶表示装置のハードウェアブロック図
【図１２】液晶表示装置の機能ブロック図
【図１３】対応付け処理のフローチャート
【図１４】対応付けサブ処理のフローチャート
【図１５】測定に使用するパッチのＲＧＢ値を表した図
【図１６】液晶表示装置のハードウェアブロック図
【図１７】液晶表示装置の機能ブロック図
【図１８】対応付け可能領域情報の模式図
【図１９】対応付け実施座標の候補を算出する処理のフローチャート
【図２０】液晶表示装置の機能ブロック図
【図２１】液晶表示装置の画像表示領域の表示モードによる領域分割の一例
【発明を実施するための形態】
【００１３】
（実施例１）
図１は、本発明の第１の実施例が適用される液晶表示装置１００のハードウェアブロック図である。
ＣＰＵ２０１は、不揮発メモリ２０３から各種制御を行うためのプログラムを読み込み、内部バス２１２に接続された各構成ブロックの制御を行う。ＣＰＵ２０１は、入力画像信号に基づいて画像表示領域内の各領域にどの画像処理パラメータを適用するかを表す表示領域情報を算出する。ＣＰＵ２０１は、表示領域情報と不揮発メモリ２０３に記録した対応付けデータを用いて、対応付け処理を行う。
【００１４】
ここで、本実施例の液晶表示装置は、画像処理パラメータの設定値が異なる複数の表示モードを有しており、画像表示領域を複数の領域に分割して領域毎に異なる表示モードで画像表示を行うことができる。例えば、ある領域は画像処理パラメータとしてＤＩＣＯＭ
ＧＳＤＦを適用し、別の領域はγ２．２を適用するというような領域分割ができる。領域分割の態様は任意であり、例えば左右２分割、上下２分割、タイル状分割、中央部の小領域とその周囲の枠状画像による分割、隅の小領域とその３辺を共有するＬ字領域による分割などが考えられる。
【００１５】
本実施例では、医用画像やＧＵＩ（グラフィカルユーザインターフェース）等、表示する画像の種類に応じて画面を構成する複数の分割領域の各々について個別に最適な表示モ
ードが設定される。本実施例では医用画像を表示するＤＩＡＧ＿ＤＣＭ、ＤＩＡＧ＿ＣＬＲ、ＧＵＩ等の画像を表示するＣＯＬＯＲの３つの表示モードを有するものとする。各表示モードにおける具体的な表示設定についてはここでは詳述しない。表示領域情報は、このような、表示モードに応じて画面を分割する分割領域に関する情報である。
【００１６】
また、対応付けデータとは、液晶表示装置の製造時等に予め外付けセンサ等による測定結果に基づき作成され記録されるデータである。具体的には、前面センサによる測定位置における輝度や色度の測定結果と、当該測定位置とは異なる所定位置における輝度や色度の測定結果と、の対応関係のデータである。本実施例では、測定位置とは異なる所定位置における輝度や色度の測定結果として、表示面を複数の領域に分割する各ブロックの中心位置における輝度や色度の測定結果に基づき対応付けデータが作成されている場合を例に説明する。対応付け処理とは、この対応付けデータに基づいて、前面センサによる輝度や色度の測定値を、任意の位置における輝度や色度の値（推定値）に変換する処理である。本実施例では、この対応付けデータと、前面センサによる測定値と、画面に表示している画像のうち注目領域の代表位置と前記所定位置との位置関係と、に基づいて、注目領域の代表位置における光学特性としての輝度や色度を推定する対応付け処理を例示する。
【００１７】
メモリ２０２は、ＣＰＵ２０１の処理に用いるデータを一時的に記憶する。
不揮発メモリ２０３は、ＣＰＵ２０１が動作するためのプログラム情報や、画像入力回路２０４の画像を表示する際のバックライト輝度等のバックライト発光パラメータや、画像処理回路で補正に用いるルックアップテーブル等の画質調整パラメータを記憶する。また、不揮発メモリ２０３は、対応付けデータを記憶する。なお、対応付けデータは液晶表示装置１００の製造時に予め測定して、不揮発メモリ２０３に記憶しておく。
【００１８】
画像入力回路２０４は、ＰＣ１０１からの入力画像信号を受信し、画像処理回路２０５に出力する。また、ＰＣ１０１からの制御信号を受信してＣＰＵ２０１に出力し、ＣＰＵ２０１からの応答をＰＣ１０１に出力する。
画像処理回路２０５は、画像入力回路２０４から受信した画像信号に対して、ＣＰＵ２０１から取得した表示領域情報及び不揮発メモリ２０３に記録された画質調整パラメータに基づいた処理を行い、液晶表示デバイス２０６に出力する。
【００１９】
液晶表示デバイス２０６は、画像処理回路２０５から受信した画像信号に基づいて画像を表示し、ユーザに提示する。
バックライト制御回路２０７は、不揮発メモリ２０３に記録されたバックライト発光パラメータに基づいて、バックライト２０８の発光を制御するバックライト制御情報を出力する。
バックライト２０８は、バックライト制御回路２０７から受信したバックライト制御情報に基づいて発光する。
【００２０】
センサ制御回路２０９は、ＣＰＵ２０１から受信した測定要求に基づいて、前面センサ２１０を制御するセンサ制御情報を出力し、前面センサ２１０で測定した輝度・色度をＣＰＵ２０１に出力する。
前面センサ２１０は、液晶表示デバイス２０６の表面に設置されており、センサ制御回路２０９から受信したセンサ制御情報に基づいて液晶表示デバイス２０６の光学特性（輝度・色度）を測定し、センサ制御回路２０９に出力する。
操作ボタン２１１は、ユーザからの操作を受け付け、操作内容をＣＰＵ２０１に通知する。
内部バス２１２は、液晶表示装置１００の各構成ブロックを接続し、データ通信を行う。
【００２１】
図２は、液晶表示装置１００における前面センサ２１０近傍の断面を模式的に示す図である。前面センサ２１０は、バックライト２０８上に設けられた液晶表示デバイス２０６に対向するように設置され、輝度・色度を測定することができる。
【００２２】
図３は、本発明の第１の実施例が適用される液晶表示装置と画像出力装置との接続態様及び液晶表示装置１００の機能ブロックを示す図である。
液晶表示装置１００には、ＰＣ１０１が画像ケーブル１０２を介して接続されている。液晶表示装置１００は、ＰＣ１０１からの画像信号を受信し表示する。画像ケーブル１０２は、ＤＶＩ（商標）またはＤｉｓｐｌａｙＰｏｒｔ（商標）規格に準拠しており、画像信号と、ＤＤＣ／ＣＩ（Ｄｉｓｐｌａｙ  Ｄａｔａ  Ｃｈａｎｎｅｌ  Ｃｏｍｍａｎｄ  Ｉｎｔｅｒｆａｃｅ）に基づいたデータ通信が可能である。液晶表示装置１００は、ＰＣ１０１との間で画像ケーブル１０２を介して制御信号の送受信を行うとともに、制御信号に基づき前面センサによる測定を行うように構成されている。また、液晶表示装置１００は、ＰＣ１０１に対して前面センサによる測定値を送信する。
図３に記載した各部の処理は、ＣＰＵ２０１において実行される。
ＵＩ部４０１は、ユーザが操作ボタン２１１により行った操作に基づいてユーザインターフェース画面の画像データを生成し、表示制御部４０６に出力する。
【００２３】
キャリブレーション制御部４０２は、予め定めた間隔で定期的に、前面センサによる測定領域にパッチを表示し、前面センサによる測定値に基づいて、キャリブレーションが必要かどうかを判断する。キャリブレーション制御部４０２は、キャリブレーションが必要と判定すればキャリブレーションを実施する。また、キャリブレーション制御部４０２は、対応付け制御部４０３に対して、対応付け処理を実施するように要求する。キャリブレーション制御部４０２の処理の詳細については後述する。なお、キャリブレーションを実施する間隔は、ユーザによって変更することが可能な構成としてもよい。
【００２４】
対応付け制御部４０３は、前面センサ制御部４０９から取得した輝度や色度の測定値を、液晶表示装置１００の指定された箇所の輝度や色度に変換する対応付け処理を行う。対応付け処理の詳細については後述する。また、対応付け制御部４０３は、キャリブレーション制御部４０２やＰＣ通信部４１０からの要求に基づいて、前面センサ２１０にて測定した輝度、色度を変換する。対応付け制御部４０３は、記憶手段である不揮発メモリから対応付けデータを取得し（第２の取得手段）、それに基づいて前面センサ制御部による測定値から任意の位置の輝度や色度を推定する。
【００２５】
画像入力部４０４は、画像入力回路２０４から受信した画像信号を領域分割判定部４０５及び表示制御部４０６に出力する。
領域分割判定部４０５は、画像入力部４０４から受信した画像信号に基づいて、画像表示領域を、表示画像に対応する表示モードにより領域分割し、各領域に適用する表示モードの情報を表す表示領域情報を取得する第３の取得手段である。領域分割判定部４０５は、表示制御部４０６及び対応付け制御部４０３に表示領域情報を出力する。
【００２６】
表示制御部４０６は、画像処理パラメータに基づいて画像入力部４０４から受信した画像信号に対して表示モードに対応する画像処理を行って液晶表示デバイス制御部４０７に出力する。その際、表示制御部４０６は、領域分割判定部４０５から受信した表示領域情報に基づいて、領域毎に表示モードに応じた画像処理を行う。また、表示制御部４０６は、バックライト発光パラメータに基づいて、領域毎に表示モードに応じたバックライト発光制御データをバックライト制御部４０８に出力する。加えて、表示制御部４０６は、キャリブレーションや対応付け処理を行う際に、キャリブレーション制御部４０２や対応付け制御部４０３からの要求に応じてパッチ画像を表示するための信号を画像信号に重畳する。
【００２７】
液晶表示デバイス制御部４０７は、表示制御部４０６から受信した画像信号を液晶表示デバイス２０６に出力する。
バックライト制御部４０８は、表示制御部４０６から受信したバックライト発光制御データをバックライト２０８に出力する。
前面センサ制御部４０９は、キャリブレーション制御部４０２、対応付け制御部４０３、ＰＣ通信部４１０から受信した測定要求に基づいて前面センサ２１０を制御し、輝度や色度の測定値を取得する第１の取得手段である。
【００２８】
ＰＣ通信部４１０は、ＰＣ１０１からの制御信号に基づいて前面センサ制御部４０９に対して測定要求を出力し、前面センサ制御部４０９から取得した輝度や色度をＰＣ１０１に出力する測定値取得処理を行う。測定値取得処理の詳細については後述する。
【００２９】
図４は、液晶表示装置１００に設定される表示モードと、表示モード毎にキャリブレーション対象か否かを表した図である。表示モード「ＤＩＡＧ＿ＤＣＭ」はキャブレーション対象（Ｔ５０１）、表示モード「ＤＩＡＧ＿ＣＬＲ」はキャリブレーション対象（Ｔ５０２）であることを表す。また、表示モード「ＣＯＬＯＲ」はキャリブレーション対象外であることを表す（Ｔ５０３）。
【００３０】
図５は、キャリブレーション制御部４０２がキャリブレーションを実施するタイミングでの液晶表示装置１００の画像表示領域の表示モード分割の状況の一例を表した図である。液晶表示装置１００の画像表示領域は、座標（０，０）から座標（２５００，２１６０）の矩形領域Ｆ６０１を表示モードＤＩＡＧ＿ＤＣＭで表示し、座標（２５０１，０）から座標（３８４０，２１６０）の矩形領域Ｆ６０２を表示モードＣＯＬＯＲで表示している。また、前面センサは表示面上端部中央の位置Ｆ６０３に設置されており、前面センサにて測定する際のパッチは座標（１８２０，０）から座標（２０２０，１００）の矩形領域Ｆ６０４に表示される。
なお、この場合後述する対応付け処理を行う際の中心座標（代表位置）Ｆ６０５は、ＤＩＡＧ＿ＤＣＭモードの表示領域Ｆ６０１の中心座標である（１２５０，１０８０）となる。
【００３１】
図６は、対応付け処理に用いる対応付けデータを保持している領域を図示したものである。図６に示すように、本実施例では、液晶表示装置１００の表示面を横方向に２０分割、縦方向に１０分割し、計２００個の各領域（ブロック）について、対応付け処理で用いる対応付けデータを保持する。図５の中心座標Ｆ６０５は、図６においては番号８４のブロックに属する。なお、ブロック毎に保持される対応付けデータは、具体的には、前面センサにより測定した輝度、色度をＸＹＺ表色系で各ブロックにおける輝度、色度に変換する３×３のマトリクスである。対応付けデータの値は、液晶表示装置１００の製造時に測色センサで測定した各ブロックの輝度及び色度と、製造時に前面センサで測定した領域Ｆ６０４の輝度及び色度と、の対応関係に基づいて予め算出して、不揮発メモリ２０３に記録する。
【００３２】
測定値の変換は以下の式１で行う。
【数１】
2014222323.tif 000003
なお、Ｘｏｕｔ、Ｙｏｕｔ、Ｚｏｕｔは、計算の結果得られる変換後の輝度、色度を表し、Ｍｔｘは変換に使用する３×３マトリクスを表し、Ｘｉｎ、Ｙｉｎ、Ｚｉｎは前面センサ２１０から取得した輝度、色度の測定値を表す。
【００３３】
また、ブロック８４に対応する対応付けデータＭｔｘは、以下の式２で示す値が予め記憶されている。
【数２】
2014222323.tif 000004
図７は、キャリブレーション制御部４０２が定期的に行うキャリブレーション処理のフローチャートである。前回のキャリブレーションから所定の時間経過後、キャリブレーション制御部４０２は、対応付け制御部４０３に対して対応付け実施要求を送信する（Ｓ８０１）。次に、キャリブレーション制御部４０２は、対応付け制御部４０３による対応付け処理が終了するまで待機する（Ｓ８０２）。その後、キャリブレーション制御部４０２は、表示中の表示モードのうち、キャリブレーションの対象モード数分、Ｓ８０４〜Ｓ８１２の処理を繰り返してキャリブレーションを行う（Ｓ８０３）。図５の表示状態の場合、表示中の表示モードのうちキャリブレーション対象の表示モードは「ＤＩＡＧ＿ＤＣＭ」のみであるため、Ｓ８０４〜Ｓ８１２の処理は一度だけ実施される。
【００３４】
キャリブレーション制御部４０２は、まず、矩形領域Ｆ６０４の表示モードをキャリブレーション対象の表示モードに切り替える（Ｓ８０４）。図５の表示状態の場合、キャリブレーション制御部４０２は、矩形領域Ｆ６０４の表示モードを「ＤＩＡＧ＿ＤＣＭ」に切り替える。なお、図５の表示状態では矩形領域Ｆ６０４は矩形領域Ｆ６０１に含まれており、矩形領域Ｆ６０１の表示モードはＤＩＡＧ＿ＤＣＭであるため、切り替えを行う前から既に矩形領域Ｆ６０４の表示モードはＤＩＡＧ＿ＤＣＭになっている。そのＳ８０４の実行による表示上の変化はない。
【００３５】
次に、キャリブレーション制御部４０２は、キャリブレーションに必要な所定のパッチ数分、Ｓ８０６〜Ｓ８０９の処理を繰り返す（Ｓ８０５）。まず、キャリブレーション制御部４０２は、矩形領域Ｆ６０４にパッチを表示し（Ｓ８０６）、前面センサ制御部４０９に対してセンサ値取得要求を行い、前面センサ２１０で輝度、色度を測定する（Ｓ８０７）。次に、キャリブレーション制御部４０２は、Ｓ８０７で取得した輝度、色度の測定値を対応付け制御部４０３に渡し、当該測定値に基づいて、対応付け実施座標である中心座標Ｆ６０５近傍での輝度、色度に変換する（Ｓ８０８）。その後、キャリブレーション制御部４０２は、Ｓ８０５に戻って他のパッチについて同様の処理を繰り返す（Ｓ８０９）。
【００３６】
全てのパッチについて測定終了後、キャリブレーション制御部４０２は、液晶表示装置１００の補正が必要か否かを判定する（Ｓ８１０）。補正が必要と判定した場合（Ｓ８１０のＹＥＳ）、キャリブレーション制御部４０２は、所定の計算に基づいて液晶表示装置１００の画像処理パラメータ及びバックライト発光パラメータを補正する（Ｓ８１１）。なお、Ｓ８１０において補正が不要と判断した場合、キャリブレーション制御部４０２は、Ｓ８１１の処理を行わずに、Ｓ８０３に戻って未処理の表示モードについて同様の処理を繰り返す（Ｓ８１２）。図５の場合、処理対象の表示モードは１つだけなので、Ｓ８１０でＮｏの場合又はＳ８１１の処理終了後、キャリブレーション処理が終了する。
【００３７】
図８は、対応付け制御部４０３が行う対応付け処理のフローチャートである。キャリブレーション制御部４０２からの対応付け実施要求を受信すると、対応付け制御部４０３は、表示制御部４０６から画像表示領域をどのように領域分割し、各領域にどの表示モードを適用しているかを表す表示領域情報を取得する（Ｓ９０１）。次に、対応付け制御部４０３は、表示領域情報から対応付け実施座標の候補を算出する（Ｓ９０２）。図５の表示状態の場合、対応付け制御部４０３は、表示モード「ＤＩＡＧ＿ＤＣＭ」の領域の中心座標Ｆ６０５を対応付け実施座標の候補として算出する。なお、算出の仕方については後述する。その後、対応付け制御部４０３は、図６のブロック分割において、今回の処理で対応付け実施座標の候補が含まれるブロックと、前回選択した対応付け実施ブロックとが、同一ブロックであるかを確認する（Ｓ９０３）。同一ブロックでない場合（Ｓ９０３のＮＯ）、対応付け制御部４０３は、対応付け実施座標の候補を含むブロックを対応付け実施ブロックとして選択する（Ｓ９０４）。なお、前回選択した対応付け実施ブロックと対応付け実施座標の候補が含まれるブロックとが同一ブロックである場合（Ｓ９０３のＹＥＳ）、対応付け制御部４０３は、改めて対応付け処理を行う必要がないため、そのまま処理を終了する。図５の表示状態の場合、対応付け制御部４０３は、対応付け実施座標の候補Ｆ６０５が含まれるブロックとして、図６のブロック８４を選択し、このブロックを対応付け実施ブロックとする。
【００３８】
図９は、図８の処理のうちＳ９０２の処理において、対応付け実施座標の候補を算出する処理のフローチャートである。対応付け制御部４０３は、画像表示領域の表示モードによる領域分割の情報に基づき、キャリブレーション対象の表示モードの領域とキャリブレーション非対象の表示モードの領域による画像表示領域の分割が、上下分割又は左右分割であるか判定する（Ｓ１００１）。上下又は左右に分割されている場合（Ｓ１００１のＹＥＳ）、対応付け制御部４０３は、キャリブレーション対象の表示モードの領域の中心座標を対応付け実施座標の候補として算出する（Ｓ１００２）。画像表示領域の分割が上下又は左右分割ではない場合（Ｓ１００１のＮＯ）、対応付け制御部４０３は、Ｓ１００３に進む。画像表示領域の分割が上下又は左右分割ではない場合とは、例えば、画面のいずれかの隅を含む矩形領域とそれ以外のＬ字形領域とによる分割や、画面中央部の矩形領域とその周囲の枠状領域とによる分割である。上下分割や左右分割には、例えばタイル状（マトリックス状、碁盤目状）の分割も含めても良い。
【００３９】
Ｓ１００３では、対応付け制御部４０３は、キャリブレーション非対象の表示モードの領域の中心が画像表示領域の中心であり、かつその面積が所定の閾値以上かを判定する（Ｓ１００３）。キャリブレーション非対象の表示モードの領域の中心が画像表示領域の中心又はその近傍にあり、かつその面積が所定の閾値以上の場合（Ｓ１００３のＹＥＳ）、対応付け制御部４０３は、画像表示領域の中心を対応付け実施座標の候補として算出する（Ｓ１００４）。一方、前述の条件を満たさない場合（Ｓ１００３のＮＯ）、対応付け制御部４０３は、キャリブレーション対象の表示モードの領域のうち、面積が最大の矩形領域の中心を対応付け実施座標の候補として算出する（Ｓ１００５）。
【００４０】
図５の表示状態の場合、図８及び図９の処理を行うことで、表示モードによる領域分割が左右分割であることから対応付け実施座標の候補として矩形領域Ｆ６０１の中心座標Ｆ６０５が算出される。そして、対応付け実施ブロックとして、当該算出された座標Ｆ６０５を含む図６のブロック８４が選択され、対応付け処理で用いられる対応付けデータとして、ブロック８４に対応するマトリックス（数２）が選択される。そして、図７のキャリブレーション処理では、数２で示すブロック８４に対応するマトリックスを数１に適用して、前面センサ２１０による輝度、色度の測定値に対する変換が行われる。
【００４１】
図１０は、ＰＣ通信部４１０による前面センサ２１０の測定値取得処理のフローチャートである。ＰＣ通信部４１０は、ＰＣ１０１からの前面センサ測定値取得のための制御信
号を受信すると、前面センサ制御部４０９に対して測定値取得要求を行い、前面センサ２１０で輝度、色度を測定する（Ｓ１１０１）。次に、ＰＣ通信部４１０は、Ｓ１１０１で測定した輝度、色度を対応付け制御部４０３に渡し、対応付け制御部４０３から、対応付けの中心座標Ｆ６０５近傍における輝度、色度に変換された測定値を取得する（Ｓ１１０２）。最後に、ＰＣ通信部４１０は、取得した対応付けの中心座標Ｆ６０５近傍における輝度、色度をＰＣ１０１に出力する（Ｓ１１０３）。
【００４２】
このように、キャリブレーション対象の表示モードの領域に対応する対応付けデータ（例えば領域の中心座標を含むブロックに対応する対応付けデータ）を用いて前面センサによる測定値を変換することで、診断領域における輝度、色度が得られる。そして、診断領域における輝度、色度に基づいてキャリブレーションを行うので、診断領域の表示位置における表示特性に基づいたキャリブレーションが可能になる。よって、診断領域が画面内のどこにあっても、キャリブレーションによって診断領域における表示精度を向上させることができる。
【００４３】
なお、本実施例で示した対応付け処理における変換式は一例であり、他の変換式を用いてもよい。また、本実施例では、表示面を格子状に分割するブロック毎の対応付けデータを製造時に求めて内部の記憶装置に記録する構成を例示した。しかしこれに限らず、工場出荷後に、ユーザがブロック毎の輝度、色度を測定してユーザが対応付けデータを補正できるように構成してもよい。また、液晶表示装置１００とＰＣ１０１の間の制御信号の送受信に画像ケーブル以外の通信手段、例えばＵＳＢ（Ｕｎｉｖｅｒｓａｌ  Ｓｅｒｉａｌ
Ｂｕｓ）ケーブル等を用いてもよい。また、本実施例では対応付け処理を液晶表示装置で実行する構成を例示したが、対応付け処理を液晶表示装置に接続したＰＣにて実行する構成でもよい。
【００４４】
（実施例２）
本実施例では、対応付け処理を行う際に、実際に診断領域を測定する例について記述する。なお、実施例１と重複する部分については、記載を省略する。
【００４５】
図１１は、本発明の第２の実施例が適用される液晶表示装置１１０のハードウェア構成を示すブロック図である。
外付センサ通信回路２１３は、ＣＰＵ２０１の要求に基づいて外付センサ１０３を制御する制御情報を外付センサ１０３に出力し、外付センサ１０３により測定した輝度や色度をＣＰＵ２０１に返す。
図１２は、本発明の第２の実施例が適用される液晶表示装置と画像出力装置と外付センサの接続態様及び液晶表示装置１１０の機能ブロックを示す図である。液晶表示装置１１０には、実施例１の液晶表示装置１００と比較すると、さらに外付センサ１０３がＵＳＢケーブル１０４により接続されている。外付センサ１０３は、液晶表示装置１１０からの制御信号に基づいて液晶表示装置１１０の輝度、色度を測定し、液晶表示装置１１０に出力する。図１２に記載した各部の処理は、ＣＰＵ２０１において実行される。
【００４６】
対応付け制御部４１３は、前面センサ制御部４０９から取得した輝度や色度の測定値から、外付センサ１０３による測定値に基づいて、液晶表示装置１１０の指定された箇所の輝度や色度を算出する。本実施例におけるこの対応付け処理の詳細については後述する。また、対応付け制御部４０３は、キャリブレーション制御部４０２やＰＣ通信部４１０からの要求に基づいて、前面センサ２１０にて測定した輝度、色度を変換する。
外付センサ制御部４１４は、対応付け制御部４１３から受信した測定要求に基づいて外付センサ１０３を制御し、輝度や色度を測定する。
【００４７】
図１３は、対応付け制御部４１３が行う対応付け処理のフローチャートである。キャリ
ブレーション制御部４０２からの対応付け実施要求を受信すると、対応付け制御部４１３は、表示制御部４０６から、画像表示領域をどのように領域分割し、各領域にどの表示モードを適用しているかを表す表示領域情報を取得する（Ｓ１５０１）。次に、対応付け制御部４１３は、表示領域情報から対応付け実施座標の候補を算出する（Ｓ１５０２）。図５の表示状態の場合、対応付け制御部４１３は、表示モード「ＤＩＡＧ＿ＤＣＭ」の領域の中心座標Ｆ６０５を対応付け実施座標の候補として算出する。なお、算出の方法については実施例１で説明した図９と同様である。その後、対応付け制御部４１３は、対応付け実施座標の候補が、前回の対応付け実施座標を中心とする２００ピクセル×２００ピクセルの範囲内に入っているかを確認する（Ｓ１５０３）。なお、この判断における２００ピクセル×２００ピクセルという矩形の大きさは一例であって、これに限られない。この矩形内に入っていない場合（Ｓ１５０３のＮＯ）、対応付け制御部４１３は、対応付けサブ処理を実施する（Ｓ１５０４）。対応付けサブ処理の詳細については後述する。対応付け制御部４１３は、対応付けサブ処理の結果算出された対応付け実施座標に対応する対応付けデータを保存する（Ｓ１５０５）。なお、対応付け実施座標の候補が前回の対応付け実施座標を中心とする２００ピクセル×２００ピクセルの矩形内に入っている場合（Ｓ１５０３のＹＥＳ）は、改めて対応付け処理を行う必要がないため、対応付け制御部４１３は処理を終了する。
【００４８】
例えば、図５の表示状態の場合、前回の対応付け実施座標が（１１５０，９８０）から（１３４９，１１７９）までの矩形領域内であれば、Ｓ１５０３で対応付け不要（Ｙｅｓ）と判定され、それ以外の場合は対応付け必要（Ｎｏ）と判定される。
【００４９】
図１４は、図１３の処理のうちＳ１５０４で実行される対応付けサブ処理のフローチャートである。
対応付けサブ処理では、まず、対応付け制御部４１３は、対応付け実施座標を中心にしたパッチを表示し、ユーザに外付センサ１０３の取り付け位置を呈示する（Ｓ１６０１）。次に、ユーザが外付センサ１０３をパッチの位置に設置すると（Ｓ１６０２）、対応付け制御部４１３は、液晶表示装置１１０の画像表示領域全体の表示モードを、キャリブレーション対象の表示モードに変更する（Ｓ１６０３）。図５の表示状態の場合、対応付け制御部４１３は、画像表示領域全体の表示モードを「ＤＩＡＧ＿ＤＣＭ」に設定する。その後、対応付け制御部４１３は、対応付け処理に必要なパッチ数分、Ｓ１６０５〜Ｓ１６０８の処理を繰り返す（Ｓ１６０４）。まず、対応付け制御部４１３は、画像表示領域全体にパッチを表示する（Ｓ１６０５）。次に、対応付け制御部４１３は、外付センサ１０３からパッチの輝度、色度の測定値を取得し（Ｓ１６０６）、さらに、前面センサ２１０からパッチの輝度、色度の測定値を取得する（Ｓ１６０７）。その後、対応付け制御部４１３は、Ｓ１６０４に戻って以上の処理を繰り返す（Ｓ１６０８）。外付センサ１０３と前面センサ２１０による測定終了後、対応付け制御部４１３は、測定した輝度、色度から対応付けデータを算出し（Ｓ１６０９）、液晶表示装置１１０の表示モードを元に戻す（Ｓ１６１０）。
【００５０】
図１５は、図１４のフローチャートにおいて、測定に使用するパッチのＲＧＢ値を示す図である。ＲＧＢ値はそれぞれ０〜２５５の８ビット値で表現されている。図１５に示した通り、図１４のＳ１６０４〜Ｓ１６０８の間で、黒（Ｔ１７０１）、白（Ｔ１７０２）、赤（Ｔ１７０３）、緑（Ｔ１７０４）、青（Ｔ１７０５）の５色のパッチを表示する。
【００５１】
このように、キャリブレーション対象領域の中心を外付センサにより測定してそれに基づき対応付け処理のための対応付けデータを作成（更新）することにより、より精度よく前面センサによる測定値を診断領域の中心と対応付けることができる。
【００５２】
なお、本実施例では液晶表示装置１１０と外付センサ１０３の接続にＵＳＢケーブル以
外の信号ケーブルを用いてもよい。また、対応付け処理の際に全画面にパッチを表示したが、外付センサと前面センサの測定領域にのみパッチを表示するのでもよい。また、測定に使用するパッチの色や色数は一例であり、本実施例にて記載した色以外のパッチを表示して測定してもよい。また、本実施例にて記載した処理は実施例１のキャリブレーション処理時に実行される例を示したが、対応付け処理だけをユーザの指示により実行できるように構成してもよい。また、本実施例では対応付け処理を液晶表示装置で実施するように校正したが、対応付け処理を液晶表示装置に接続したＰＣにて実行するように構成してもよい。
【００５３】
（実施例３）
本実施例では、液晶表示装置において、対応付け実施座標を決定する際に、液晶表示装置の輝度分布を考慮する例について記述する。なお、実施例１又は実施例２と重複する部分については、説明を省略する。
図１６は、本発明の第３の実施例が適用される液晶表示装置１２０のハードウェア構成を示すブロック図である。
【００５４】
不揮発メモリ２２３は、図１の不揮発メモリ２０３の記憶する情報に加えて、液晶表示装置１２０の輝度分布に基づく対応付け可能領域情報を記憶する。なお、対応付け可能領域情報は液晶表示装置１２０を製造する際に予め測定して、不揮発メモリ２２３に記憶しておく。
【００５５】
図１７は、液晶表示装置１２０の機能ブロック図である。対応付け制御部４２３は、図３の対応付け制御部４０３が行う対応付け処理において、更に対応付け可能領域情報に基づく処理を行う。対応付け処理の詳細については後述する。
【００５６】
図１８は、対応付け可能領域の模式図である。液晶表示装置１２０を製造する際に輝度分布を測定し、輝度が液晶表示装置１２０の中心を測定した輝度からの乖離が閾値以下である領域を、対応付け可能領域とする。図１８において、座標（３００，３００）から座標（３５４０，１８６０）の破線で示す矩形領域Ｆ２００１が対応付け可能領域である。図１８に示すように、本実施例では、画面の端部近傍の領域が画面中央部からの輝度の乖離が閾値より大きい領域である。
【００５７】
図１９は、液晶表示装置１２０が、図９の処理の代わりに行う対応付け実施座標の候補を算出する処理のフローチャートである。対応付け制御部４２３は、まず、図９の処理を行って対応付け実施座標の候補を算出する（Ｓ２１０１）。次に、対応付け制御部４２３は、対応付け実施座標の候補が、対応付け可能領域内に含まれているかを判定する（Ｓ２１０２）。対応付け実施座標の候補が対応付け可能領域内に含まれる場合（Ｓ２１０２のＹＥＳ）、対応付け制御部４２３は、そのまま処理を終了する。対応付け実施座標の候補が対応付け可能領域内に含まれない場合（Ｓ２１０２のＮＯ）、対応付け制御部４２３は、対応付け実施座標の候補に最も近い対応付け実施可能領域内の座標を対応付け実施座標の候補として算出する（Ｓ２１０３）。
【００５８】
このように、対応付け実施座標の候補を算出する際に、液晶表示装置の輝度分布を考慮することで、前面センサにて測定した輝度、色度を変換する際に、中央部に対し輝度が低下しやすい周辺部の領域における輝度、色度への変換を行わないようにする。これにより精度良くキャリブレーションを行うことができる。
なお、本実施例では、実施例１にて説明した内容に適用する形で説明を行ったが、実施例２にて説明した内容に対しても適用することができる。
【００５９】
（実施例４）
本実施例では、外部装置であるＰＣから表示モードによる画面の分割及び分割領域毎の表示モード設定の情報を取得する。なお、実施例１から実施例３と重複する部分については、説明を省略する。
【００６０】
図２０は、本発明の第４の実施例が適用される液晶表示装置と画像出力装置であるＰＣとの接続及び液晶表示装置１３０の機能ブロックを示す図である。
液晶表示装置１３０には、ＰＣ１３１が画像ケーブル１０２により接続されている。液晶表示装置１３０は、ＰＣ１３１から画像ケーブル１０２を介して画像信号や制御信号に加えて、表示モードの表示領域情報を受信する。
対応付け制御部４３３は、実施例１の図３の対応付け制御部４０３が行う対応付け処理において、領域分割設定部４３５から表示領域情報を取得して処理を行う。対応付け処理の詳細については後述する。
領域分割設定部４３５は、ＰＣ通信部４３６から受信した表示領域情報に基づいて画像表示領域を表示モードにより領域分割し、各領域に適用する表示モードを表す表示領域情報を表示制御部４０６及び対応付け制御部４３３に出力する。
ＰＣ通信部４３６は、実施例１の図３のＰＣ通信部４１０の処理に加えて、ＰＣ１３１から取得した表示領域情報を領域分割設定部４３５に出力する処理を行う。
【００６１】
図２１は、ＰＣ１３１から受信した液晶表示装置１３０の画像表示領域の表示モードによる領域分割の一例を表した図ある。液晶表示装置１３０の画像表示領域のうち、座標（０，０）から座標（３０００，２０００）の矩形領域Ｆ２４０１の表示モードは「ＤＩＡＧ＿ＤＣＭ」である。座標（３００１，０）から座標（３８４０，２１６０）の矩形領域及び座標（０，２００１）から座標（３００１，２１６０）の矩形領域を合わせた領域Ｆ２４０２の表示モードは「ＣＯＬＯＲ」である。なお、この場合後述する対応付け処理を行う際の中心座標Ｆ２４０３は（１５００，１０００）となる。この状態で、図８及び図９の処理を行うと、座標Ｆ２４０３含むブロックが対応付け実施ブロックとして選択される。
【００６２】
実施例１から実施例３では、液晶表示装置で画像信号に基づき表示モードを判定する構成を例示したが、本実施例のように、ＰＣから表示モードによる画像表示領域の領域分割の情報を取得する構成でも本発明を適用できる。この構成でも、キャリブレーション対象の表示モードで画像表示を行っている診断領域を判定し、診断領域の中心近傍における輝度、色度を前面センサによる測定値から算出してキャリブレーションを行うことで、キャリブレーションを精度良く行うことができる。
【００６３】
なお、本実施例でも、実施例１と同様に液晶表示装置１３０とＰＣ１３１の間の制御信号の送受信にＵＳＢケーブル等の画像ケーブル以外を用いてもよい。また、液晶表示装置１３０と外付センサ１０３の接続にＵＳＢケーブル以外の信号ケーブルを用いてもよい。加えて、本実施例では、実施例１にて説明した内容に適用する形で説明を行ったが、実施例２及び実施例３にて説明した内容に対しても適用することができる。
上記各実施例では、表示モードによる領域分割の情報を入力画像信号から判定するか又はＰＣから取得する例を示したが、表示モードによる領域分割の情報をユーザが手動で入力（指定）できる構成でも良い。
【００６４】
上記各実施例は、医用画像を表示する画像表示装置へ本発明を適用した例であるため、ＤＩＡＧ＿ＤＣＭ、ＤＩＡＧ＿ＣＬＲの表示モードの表示領域が、ユーザが注目する注目領域である。しかしながら、本発明は医用画像を表示する画像表示装置に限らず適用可能である。例えば、動画像をウィンドウ表示する場合に、動画像を表示するウィンドウが注目領域であり、それ以外のＧＵＩや背景が非注目領域となる。そして、このような画像表示装置においても、本発明を適用することにより、注目領域が画面中央にないでも注目領
域のキャリブレーションを精度良く行うことができるという本発明の効果が得られる。
【００６５】
上記各実施例は、液晶表示装置へ本発明を適用した例であるが、センサにより輝度や色度を測定した結果に応じてキャリブレーションを行うことができる画像表示装置一般に適用可能である。また、上記各実施例は、液晶表示装置でキャリブレーションを行う例であるが、ＰＣでキャリブレーションを行う構成でも良い。その場合、ＰＣは画像表示装置のキャリブレーションを行うキャリブレーション装置であって、対応付け処理のための対応付けデータをハードディスクドライブや不揮発メモリのような記憶装置に記憶している。そして、画像表示装置に備わる前面センサから画像ケーブルやＵＳＢケーブル等を通して測定値を取得し、注目領域の代表位置における測定値を推定し、推定した測定値に基づいて注目領域における表示精度を高めるようキャリブレーションを行う。これらの処理は、ハードディスク等にインストールされたプログラムをＰＣに備わるＣＰＵ等のコンピュータが実行することにより行われる。
【００６６】
上記各実施例で説明した対応付け処理及びそれに基づくキャリブレーション処理をコンピュータに実行させるプログラムは本発明に含まれる。そのようなプログラムは、ＣＤ−ＲＯＭ、ＤＶＤ−ＲＯＭ、メモリカード等の記録媒体に記録され、記録媒体によりコンピュータに供給され、また、インターネットやローカルエリアネットワーク等の有線又は無線通信回線を介してコンピュータに供給される。すなわち、上記各実施例で説明した対応付け処理及びそれに基づくキャリブレーション処理をコンピュータに実行させるプログラムが記録された記録媒体は本発明に含まれる。また、上記各実施例で説明した対応付け処理及びそれに基づくキャリブレーション処理を実行する機能を、ＰＣ等のコンピュータや画像表示装置に後付けで追加する機能拡張ボード等のハードウェアは本発明に含まれる。
【符号の説明】
【００６７】
１００  液晶表示装置、２０１  ＣＰＵ、２０３  不揮発メモリ、２１０  前面センサ、４０２  キャリブレーション制御部
【図１】
2014222323.tif 000005
【図２】
2014222323.tif 000006
【図３】
2014222323.tif 000007
【図４】
2014222323.tif 000008
【図５】
2014222323.tif 000009
【図６】
2014222323.tif 000010
【図７】
2014222323.tif 000011
【図８】
2014222323.tif 000012
【図９】
2014222323.tif 000013
【図１０】
2014222323.tif 000014
【図１１】
2014222323.tif 000015
【図１２】
2014222323.tif 000016
【図１３】
2014222323.tif 000017
【図１４】
2014222323.tif 000018
【図１５】
2014222323.tif 000019
【図１６】
2014222323.tif 000020
【図１７】
2014222323.tif 000021
【図１８】
2014222323.tif 000022
【図１９】
2014222323.tif 000023
【図２０】
2014222323.tif 000024
【図２１】
2014222323.tif 000025